(57)【要約】      （修正有）【課題】フィルムシートを用いて容易に組み立てられ、かつ十分な強度を持つルーレット付組立貯金箱を提供する。【解決手段】ルーレット付組立貯金箱の天面部には硬貨を投入するためのスリットＴが施されており、ここから硬貨を投入することで貯金箱として使用することが出来る。また、硬貨投入口Ｔより貯金箱内部へ投入された任意の硬貨Ｃはフラップ部分のいづれかと接触することで硬貨自体の重さを回転運動へ変換することでルーレット部分Ｒ１、Ｒ２が回転するものである。このときルーレット部分Ｒ１、Ｒ２は貯金箱本体に組み込まれた軸部分Ｊ１によって貯金箱内部に固定されている。【選択図】図３
0003207020.tif 000002
【実用新案登録請求の範囲】
【請求項１】
薄地のフィルムシート材料に対しトムソン型を使用して打ち抜いた複数の部品を組み合わせることで、糊やテープ等の接着道具を用いる事無く簡単に模型の城や寺社仏閣を作製できる事を特徴とするルーレット付組立貯金箱。
【請求項２】
請求項１に記載のフィルムシートより切り離され組み立てられた貯金箱下部の硬貨貯留部に至るまでに、投入された硬貨が強制的にフラップ付きのルーレットに接触する構造を有することで、硬貨投入のタイミングに同期し貯金箱内部に備わったルーレットが回転することを特徴とするルーレット付組立貯金箱。
【請求項３】
前記の材料に対する印刷は、オフセット印刷を用いて絵や文字、写真などを印刷した請求項１に記載のルーレット付組立貯金箱。
【考案の詳細な説明】
【技術分野】
【０００１】  本考案は主として、フイルムシート材料に対して多目的に使用できる利便性の高いノベルティー商品に関するものである。
【背景技術】
【０００２】  従来の紙で作製していた組立貯金箱は、組み立てるときに固定用の糊やテープ、シートからパーツを分離する為のはさみやカッター等の道具が必要だった。また、紙製の組立貯金箱は水等の液体でぬれた場合にその品質が大きく劣化し、収納した硬貨が貯金箱の外へ溢れることがあった。
【考案が解決しようとする課題】
【０００３】  ノベルティとして本物品を手にした場合に、その場で組み立てて使用する事ができ、かつ相当量の硬貨を投入することを想定し、固定に用いる部分の構造を組みやすく、外れにくいものとした。また、耐水性の高いフィルムシートを使用する事で、水に強い商品を作製する事ができる。
【０００４】  少なからずプラスチック製品は廃棄処理の段階で環境に負荷をかけてしまうという課題を持っているが、本考案である留め具付きうちわの材料シート素材を再生樹脂材料もしくはトウモロコシ等から製造されるＰＬＡ《ポリ乳酸》を主原料とした生分解性プラスチック材料を使用して作成することで環境負荷の課題を解決することができる。
【課題を解決するための手段】
【０００５】  トムソンで打ち抜いた各部分の接合部分の構造を組み立てやすく、かつ外れにくくするために、フック部に切り込みを入れ、かつフィルムシートの柔軟な収縮性を利用し、接合部を噛み合わせる事で貯金箱として使用した場合の硬貨の重量にも耐える強固な構造を作り出す事ができる。
【考案実施の形態】
【０００６】  図１は本考案のルーレット付組立貯金箱（１）の視図である。図１でルーレット付組立貯金箱にはコイン投入口（Ｔ）フック構造を持った差し込み（ｔ１）〜（ｔ２７）これと対になる切り込み（ｓ１）〜（ｓ２７）を備えた箱部分（Ｂ１）（Ｂ２）とルーレット部分（Ｒ１）（Ｒ２）ルーレットを箱部分（Ｂ１）（Ｂ２）に固定するための軸（Ｊ１）（Ｊ２）が大部分をトムソンで打ち抜かれ部分的にシートに固定された状態で備わっている。
【０００７】  図２は本考案のルーレット付組立貯金箱（１）に備わるルーレット部分（Ｒ１）（Ｒ２）の斜図である。トムソン型で折り筋加工、打ち抜き加工されたルーレット部分（Ｒ１）（Ｒ２）を組み立て、ルーレット部分（Ｒ１）（Ｒ２）に対になる様に設けられた複数の差し込み（ｔ２１）〜（ｔ２５）と切り込み（ｓ２１）〜（Ｓ２５）を組み合わせ、ルーレット部分（Ｒ１）（Ｒ２）の中心部にそれぞれ施した孔（Ｋ３）（Ｋ４）に軸となるストロー（Ｓ）を貫通させることで、フラップ部分（Ｆ１）〜（Ｆ５）への加重を原動力にルーレットが回転する。
【０００８】  図３は本考案のルーレット付組立貯金箱（１）を組み立てた完成図の斜図である。この時、完成したルーレット付組立貯金箱（１）の天面部には硬貨を投入するためのスリット（Ｔ）が施されており、ここから硬貨を投入することで貯金箱として使用することが出来る。また、硬貨投入口（Ｔ）より貯金箱内部へ投入された任意の硬貨（Ｃ）はフラップ部分（Ｆ１）〜（Ｆ５）のいづれかと接触することで硬貨自体の重さを回転運動へ変換することでルーレット部分（Ｒ１）（Ｒ２）が回転するものである。このときルーレット部分（Ｒ１）（Ｒ２）は貯金箱本体に組み込まれた軸部分（Ｊ１）（Ｊ２）によって貯金箱内部に固定されている状態である。
【図面の簡単な説明】
【０００９】
【図１】本考案のルーレット付組立貯金箱の視図
【図２】図１のルーレット付組立貯金箱のルーレットの斜図
【図３】図１のルーレット付組立貯金箱の完成図の斜図
【符号の説明】
【００１０】１    ルーレット付組立貯金箱
Ｂ１  硬貨貯留部１
Ｂ２  硬貨貯留部２
Ｃ    任意の硬貨
Ｆ１  フラップ１
Ｆ２  フラップ２
Ｆ３  フラップ３
Ｆ４  フラップ４
Ｆ５  フラップ５
Ｊ１  軸１
Ｊ２  軸２
Ｋ１  孔１
Ｋ２  孔２
Ｋ３  孔３
Ｋ４  孔４
Ｒ１  ルーレット部１
Ｒ２  ルーレット部２
Ｔ    硬貨投入口
ｔ１  差し込み１
ｔ２  差し込み２
ｔ３  差し込み３
ｔ４  差し込み４
ｔ５  差し込み５
ｔ６  差し込み６
ｔ７  差し込み７
ｔ８  差し込み８
ｔ９  差し込み９
ｔ１０  差し込み１０
ｔ１１  差し込み１１
ｔ１２  差し込み１２
ｔ１３  差し込み１３
ｔ１４  差し込み１４
ｔ１５  差し込み１５
ｔ１６  差し込み１６
ｔ１７  差し込み１７
ｔ１８  差し込み１８
ｔ１９  差し込み１９
ｔ２０  差し込み２０
ｔ２１  差し込み２１
ｔ２２  差し込み２２
ｔ２３  差し込み２３
ｔ２４  差し込み２４
ｔ２５  差し込み２５
ｔ２６  差し込み２６
ｔ２７  差し込み２７
ｓ１  スリット１
ｓ２  スリット２
ｓ３  スリット３
ｓ４  スリット４
ｓ５  スリット５
ｓ６  スリット６
ｓ７  スリット７
ｓ８  スリット８
ｓ９  スリット９
ｓ１０  スリット１０
ｓ１１  スリット１１
ｓ１２  スリット１２
ｓ１３  スリット１３
ｓ１４  スリット１４
ｓ１５  スリット１５
ｓ１６  スリット１６
ｓ１７  スリット１７
ｓ１８  スリット１８
ｓ１９  スリット１９
ｓ２０  スリット２０
ｓ２１  スリット２１
ｓ２２  スリット２２
ｓ２３  スリット２３
ｓ２４  スリット２４
ｓ２５  スリット２５
ｓ２６  スリット２６
ｓ２７  スリット２７
【図１】
0003207020.tif 000003
【図２】
0003207020.tif 000004
【図３】
0003207020.tif 000005
【手続補正書】
【提出日】平成28年7月29日(2016.7.29)
【手続補正１】
【補正対象書類名】実用新案登録請求の範囲
【補正対象項目名】全文
【補正方法】変更
【補正の内容】
【実用新案登録請求の範囲】
【請求項１】
薄地のフィルムシート材料に対しトムソン型を使用して打ち抜いた複数の部品を、前記部品が有するフック構造を持った差し込みと、前記部品が有する前記差し込みと対になる切込みとを組み合わせる事で作製されたルーレット付組立貯金箱。
【請求項２】
請求項１に記載のフィルムシート材料より切り離され組み立てられた前記ルーレット付き組立貯金箱は当該物品の天面部に施された硬貨投入用のスリットと当該物品下部に位置する硬貨貯留部との中間にフラップ付きのルーレットが係止されることで、フラップに接触した硬貨の自重によりルーレットが回転かつ硬貨が当該物品下部に位置する前記硬貨貯留部に落下することを特徴とするルーレット付き組立貯金箱。
【請求項３】
前記フィルムシート材料に対する印刷は、オフセット印刷を用いて絵や文字、写真を印刷した請求項１に記載のルーレット付組立貯金箱。